(57)【要約】【課題】開閉栓操作が容易であり、かつ使用者がキャップを把持して回転させる際に手指に痛みを感じにくいキャップを提供する。【解決手段】天板部２とその周縁から垂下する筒部３とを有するキャップ本体４と、少なくとも一部が筒部３の外周面に設けられた外装体５と、を備えたキャップ１。外装体５は、キャップ本体４より低硬度である。【選択図】図１
2019018882.tif 000002
【特許請求の範囲】
【請求項１】
天板部とその周縁から垂下する筒部とを有するキャップ本体と、
少なくとも一部が前記筒部の外周面に設けられた外装体と、を備え、
前記外装体は、前記キャップ本体より低硬度である、キャップ。
【請求項２】
前記外装体は、前記筒部の少なくとも一部に全周にわたって設けられた基層部と、前記基層部の外周面の少なくとも一部に形成された外装体ナール部とを備える、請求項１に記載のキャップ。
【請求項３】
前記基層部の外周面は、前記外装体ナール部が形成されていないナール非形成領域を有し、
前記ナール非形成領域と前記外装体ナール部とは、前記筒部の周方向の位置を違えて配置されている、請求項２に記載のキャップ。
【請求項４】
前記筒部の外周面の一部領域に、前記キャップ本体と同材質の本体ナール部が形成され、
前記外装体は、前記筒部の外周面の他の一部領域に設けられた外装体ナール部を有し、
前記本体ナール部と前記外装体ナール部とは、前記筒部の周方向の位置を違えて配置されている、請求項１に記載のキャップ。
【請求項５】
前記筒部の外周面の一部領域に、前記キャップ本体と同材質の本体ナール部が形成され、
前記外装体は、前記筒部の外周面の他の一部領域に設けられ、その表面が平滑な外層部を有し、
前記本体ナール部と前記外層部とは、前記筒部の周方向の位置を違えて配置されている、請求項１に記載のキャップ。
【請求項６】
前記外装体は前記筒部の外周面の高さ方向の一部領域に設けられ、
前記外装体とは高さ位置が異なる領域に、前記キャップ本体と同材質の本体ナール部が形成されている、請求項２に記載のキャップ。
【請求項７】
飲料が充てんされる容器と、その口元部に装着されるキャップとを備えた閉止装置であって、
前記キャップは、請求項１〜６のうちいずれか１項に記載のキャップであることを特徴とする閉止装置。
【請求項８】
飲料が充てんされた容器と、その口元部に装着されるキャップとを備えた飲料入り閉止装置であって、
前記キャップは、請求項１〜６のうちいずれか１項に記載のキャップであることを特徴とする飲料入り閉止装置。
【発明の詳細な説明】
【技術分野】
【０００１】
本発明は、容器の口元部を閉止するキャップ、前記キャップを用いた閉止装置、および飲料入り閉止装置に関する。
【背景技術】
【０００２】
従来、合成樹脂などで構成されたキャップが広く用いられている（例えば、特許文献１を参照）。キャップとしては、複数のナール凸部からなるナール部が外周面に形成されたキャップが広く用いられている。ナール部は、使用者がキャップを把持して回転させる際の滑り止めの機能を有する。
【先行技術文献】
【特許文献】
【０００３】
【特許文献１】特開２０１５−２１７９６６号公報
【発明の概要】
【発明が解決しようとする課題】
【０００４】
例えば小型のキャップでは、使用者が把持して回転させる際に滑りやすくなり、開栓および閉栓がしにくくなるという問題がある。この問題を解決するため、ナール凸部の突出高さを高くすると、使用者がキャップを把持して回転させる際に、ナール凸部が手指に食い込むことにより手指に痛みを感じることがあった。
【０００５】
本発明は上記事情に鑑みてなされたもので、開閉栓操作が容易であり、かつ使用者がキャップを把持して回転させる際に手指に痛みを感じにくいキャップ、閉止装置、および飲料入り閉止装置を提供することを目的とする。
【課題を解決するための手段】
【０００６】
本発明の一態様は、天板部とその周縁から垂下する筒部とを有するキャップ本体と、少なくとも一部が前記筒部の外周面に設けられた外装体と、を備え、前記外装体は、前記キャップ本体より低硬度であるキャップを提供する。
前記外装体は、前記筒部の少なくとも一部に全周にわたって設けられた基層部と、前記基層部の外周面の少なくとも一部に形成された外装体ナール部とを備えていてもよい。
前記基層部の外周面は、前記外装体ナール部が形成されていないナール非形成領域を有し、前記ナール非形成領域と前記外装体ナール部とは、前記筒部の周方向の位置を違えて配置されていてもよい。
前記筒部の外周面の一部領域に、前記キャップ本体と同材質の本体ナール部が形成され、前記外装体は、前記筒部の外周面の他の一部領域に設けられた外装体ナール部を有し、前記本体ナール部と前記外装体ナール部とは、前記筒部の周方向の位置を違えて配置されていてもよい。
前記筒部の外周面の一部領域に、前記キャップ本体と同材質の本体ナール部が形成され、前記外装体は、前記筒部の外周面の他の一部領域に設けられ、その表面が平滑な外層部を有し、前記本体ナール部と前記外層部とは、前記筒部の周方向の位置を違えて配置されていてもよい。
前記外装体は前記筒部の外周面の高さ方向の一部領域に設けられ、前記外装体とは高さ位置が異なる領域に、前記キャップ本体と同材質の本体ナール部が形成されていてもよい。
【０００７】
本発明の一態様は、飲料が充てんされる容器と、その口元部に装着されるキャップとを備えた閉止装置であって、前記キャップが前述のキャップである閉止装置を提供する。
【０００８】
本発明の一態様は、飲料が充てんされた容器と、その口元部に装着されるキャップとを備えた飲料入り閉止装置であって、前記キャップが前述のキャップである飲料入り閉止装置を提供する。
【発明の効果】
【０００９】
本発明の一態様によれば、外装体が低硬度であるため、開栓時および閉栓時に使用者がキャップを把持する際に、外装体ナール部から手指に加えられる力を軽減できる。よって、外装体ナール部による手指の痛みを緩和できる。外装体は低硬度であるため表面の摩擦が大きいことから、キャップの滑り止め性能を高めることができる。従って、開閉栓操作が容易であり、かつ使用者がキャップを把持して回転させる際の手指の痛みを小さくできる。
【図面の簡単な説明】
【００１０】
【図１】第１実施形態のキャップの斜視図である。
【図２】図１に示すキャップを用いた閉止装置の斜視図である。
【図３】図１に示すキャップの平面図である。
【図４】図１に示すキャップの断面図であり、図３におけるＩ−Ｉ断面を示す図である。
【図５】第２実施形態のキャップの斜視図である。
【図６】図５に示すキャップの平面図である。
【図７】図５に示すキャップの断面図であり、図６におけるＩＩ−ＩＩ断面を示す図である。
【図８】第３実施形態のキャップの斜視図である。
【図９】第４実施形態のキャップの斜視図である。
【図１０】第５実施形態のキャップの斜視図である。
【図１１】第６実施形態のキャップの斜視図である。
【図１２】第７実施形態のキャップの斜視図である。
【発明を実施するための形態】
【００１１】
［キャップ］（第１実施形態）
図１は、本発明のキャップの第１実施形態であるキャップ１の斜視図である。図２は、キャップ１を用いた閉止装置を示す斜視図である。図３は、キャップ１の平面図である。図４は、キャップ１の断面図であり、図３におけるＩ−Ｉ断面を示す図である。以下の説明において、「上」および「下」は図１および図２における上下方向に応じて定められる。上下方向は、キャップ１の中心軸Ｃ１に沿う方向である。上方向を高さ方向ともいう。中心軸Ｃ１周りの方向（筒部３の周方向）を「キャップ周方向」ということがある。
【００１２】
図１および図４に示すように、キャップ１は、キャップ本体４と、外装体５と、を備えている。
図４に示すように、キャップ本体４は、円形の天板部２と、その周縁から垂下した筒部３とを備えている。
天板部２には、容器２０の口元部２１に嵌入して口元部２１の内面に当接する内側シール突起１２と、口元部２１の開口端面に当接する開口端シール突起１３とが形成されている。
【００１３】
筒部３は、スコア６（弱化部）によって、主部８と、ブリッジ（図示略）によって主部８に連結されたタンパーエビデンスリング部（ＴＥリング部）９とに区画されている。主部８の内周面には、容器２０の雄ネジ２２に螺合するネジ部１０が形成されている。
ＴＥリング部９の内周面には、開栓時に容器２０の係止段部２３に係止してＴＥリング部９の移動を阻止する係止突起１１が形成されている。
キャップ本体４は、高密度ポリエチレン、ポリプロピレンなどの合成樹脂材料で構成することができる。
【００１４】
図１に示すように、外装体５は、基層部１４と、外装体ナール部１５とを備えている。
基層部１４は、筒部３の主部８の外周面８ａに、全周にわたって設けられている。基層部１４は、例えば一定の厚さとされており、主部８の外周面８ａのほぼ全領域に形成されている。基層部１４は主部８の外周面８ａに接合されている。
外装体ナール部１５は、基層部１４の外周面１４ａのうち１または複数のナール領域１６に形成されている。ナール領域１６は、キャップ周方向の一部領域であって外周面１４ａのほぼ全高さにわたる領域である。
【００１５】
図３に示すように、基層部１４の外周面１４ａは、例えばキャップ周方向に間隔をおいて２つのナール領域１６を有する。２つのナール領域１６は、例えば、中心軸Ｃ１周りの回転対称となる位置（すなわち、中心軸Ｃ１周りに１８０°ずれた位置）にある。
符号１７は、基層部１４の外周面１４ａのうち、キャップ周方向に隣り合うナール領域１６の間のナール非形成領域である。ナール非形成領域１７は凹凸がなく平滑に形成されている。キャップ１は、凹凸がないナール非形成領域１７を有するため、外装体ナール部１５による手指の痛みを緩和できる。
【００１６】
図１に示すように、外装体ナール部１５とナール非形成領域１７とは、キャップ周方向の位置が異なる。詳しくは、外装体ナール部１５とナール非形成領域１７とは、キャップ周方向に交互に配置されている。ナール非形成領域１７は、外装体ナール部１５とはキャップ周方向の位置を違えて配置されているため、この領域ではナール凸部による手指への食い込みを回避できる。そのため、開栓時および閉栓時の手指の痛みを緩和できる。
【００１７】
外装体ナール部１５は、ナール領域１６に形成された複数のナール凸部１８からなる。ナール凸部１８は、筒部３の径方向外方に突出して形成されている。ナール凸部１８の断面形状（中心軸Ｃ１に直交する断面の形状）は特に限定されず、例えば、多角形状（例えば矩形状）、円弧形状などとすることができる。ナール凸部１８は、基層部１４の上部から下部にかけて、上下方向に沿って直線状に形成されている。複数のナール凸部１８は、キャップ周方向に間隔をおいて形成されている。
【００１８】
図３に示すように、ナール凸部１８の突出高さＨ１（外周面１４ａからの高さ）は、０．１ｍｍ以上（好ましくは０．３ｍｍ以上）とするのが好適である。突出高さＨ１を前記範囲とすることによって、開栓の際に手指を確実に第１ナール凸部１５に係止させることができるため、キャップ１の開栓操作が容易となる。突出高さＨ１は、例えば０．５ｍｍ以下とすることができる。突出高さＨ１を前記範囲とすることによって、開栓時の手指の痛みを緩和できる。
【００１９】
ナール凸部１８の幅Ｗ３は、０．２ｍｍ以上（好ましくは０．５ｍｍ以上）とするのが好適である。幅Ｗ３は、例えば０．２ｍｍ〜１．５ｍｍ（好ましくは０．５ｍｍ〜１．２ｍｍ）とすることができる。
【００２０】
ナール凸部１８のピッチＰ１（例えば、隣り合う２つのナール凸部１８の頂点間のキャップ周方向の距離）は、０．５〜３ｍｍ（好ましくは１〜３ｍｍ）とするのが好適である。ピッチＰ１を前記範囲とすることによって、開栓時に手指をナール凸部１８に確実に係止させることができ、かつ、手指の痛みを緩和できる。
１つの外装体ナール部１５を構成するナール凸部１８の数は、１または複数であり、好ましくは３以上である。図１に示す例では、１つの外装体ナール部１５は、１０のナール凸部１８から構成されている。
ナール凸部１８は、基層部１４と一体に形成されている。ナール凸部１８は基層部１４と同じ材料からなる（すなわち同材質である）ことが好ましい。
【００２１】
図１に示すように、外装体ナール部１５の幅Ｗ１（キャップ周方向の寸法）は、例えば１ｍｍ〜５ｍｍである。ナール非形成領域１７の幅Ｗ２（キャップ周方向の寸法）は、例えば１ｍｍ〜５ｍｍである。外装体ナール部１５の幅Ｗ１と、ナール非形成領域１７の幅Ｗ２との比率Ｗ１／Ｗ２は、例えば０．５〜２である。幅比率Ｗ１／Ｗ２を前記範囲とすることによって、開栓時に使用者が手指に感じる痛みを緩和する効果を高めることができる。
【００２２】
外装体５は、キャップ本体４より低硬度である。外装体５は、樹脂、ゴムなどの低硬度材料からなる。硬度の指標としては、例えば、ＪＩＳ  Ｋ６２５３−３に準拠するデュロメータタイプＡの硬度を採用できる。外装体５の硬度は、例えば５０〜９０である。硬度の指標としては、ＪＩＳ  Ｋ７２１５に規定するデュロメータタイプＤの硬度を採用してもよい。
【００２３】
外装体５の構成材料（低硬度材料）としては、樹脂、ゴム等が使用できる。外装体５の構成材料（低硬度材料）としては、ポリエチレン、ポリプロピレン、ポリメチルペンテン、ポリブデン、結晶性ポリブタジエン、ポリブタジエン、スチレンブタジエン樹脂、ポリ塩化ビニル、ポリ酢酸ビニル、ポリ塩化ビリニデン、エチレン酢酸ビニル共重合体、エチレン−プロピレン共重合体、エチレン−プロピレン−ジエン共重合体、シリコーンゴム、ウレタンゴム、クロロプレンゴム、スチレン−ブタジエン共重合体、アクリルニトリル−ブタジエン共重合体、ポリエステル系ゴム、ポリブタジエンゴム、天然ゴムなどが使用できる。
【００２４】
図２に示すように、キャップ１が装着される容器２０は、ベース部３０と、袋状容器４０と、を備えている。
ベース部３０は、キャップ１が装着される筒状の口元部２１と、基筒部２４と、フランジ部２５と、接合部２６とを備えている。口元部２１の外面には雄ネジ２２が形成されている。
接合部２６は、内容液が流通する筒部２７を有する。接合部２６の外面には袋状容器４０がヒートシール等により接合されている。
袋状容器４０は、例えば、熱接着性を有するフィルムにより袋状に形成されている。
容器２０とキャップ１とは、閉止装置を構成する。
【００２５】
次に、キャップ１を開栓する過程について説明する。
図４に示すように、使用者がキャップ１を開栓方向に回すと、主部８が回転する一方、係止突起１１は係止段部２３に係止するため、ＴＥリング部９の回転は阻止され、主部８とＴＥリング部９とを連結しているブリッジ（図示略）に引張力が作用する。前記引張力によりブリッジは破断し、ＴＥリング部９は主部８から切り離される。これによって、キャップ１が開栓されたことが明示される。
【００２６】
キャップ１では、外装体５が低硬度であるため、開栓時および閉栓時に使用者がキャップ１を把持する際に、外装体ナール部１５から手指に加えられる力を軽減できる。よって、外装体ナール部１５による手指の痛みを緩和できる。外装体５は低硬度であるため表面の摩擦が大きいことから、キャップ１の滑り止め性能を高めることができる。従って、キャップ１では、開閉栓操作が容易であり、かつ使用者がキャップを把持して回転させる際の手指の痛みを小さくできる。
【００２７】
［キャップ］（第２実施形態）
図５は、本発明のキャップの第２実施形態であるキャップ５０１の斜視図である。図６は、キャップ５０１の平面図である。図７は、キャップ５０１の断面図であり、図６におけるＩＩ−ＩＩ断面を示す図である。なお、既出の実施形態と同じ構成については同じ符号を付して説明を省略する。
図５および図７に示すように、キャップ５０１は、キャップ本体５０４と、外装体５０５と、を備えている。
図７に示すように、キャップ本体５０４は、円形の天板部５０２と、その周縁から垂下した筒部５０３とを備えている。
天板部５０２には、内側シール突起１２と、開口端シール突起１３とが形成されている。
【００２８】
図５に示すように、筒部５０３は、スコア５０６（弱化部）によって、主部５０８と、ブリッジ５０７によって主部５０８に連結されたＴＥリング部５０９とに区画されている。
図７に示すように、主部５０８の内周面には、ネジ部１０が形成されている。
ＴＥリング部５０９の内周面には、開栓時に容器２０の係止段部２３に係止してＴＥリング部５０９の移動を阻止する係止突起５１１が形成されている。
【００２９】
図５および図７に示すように、主部５０８の外周面５０８ａのうち、最上部を含む高さ範囲の領域（上部領域５１６）には、複数のナール凸部５１２からなる本体ナール部５１３が形成されている。ナール凸部５１２は、キャップ本体５０４と同じ材料からなる（すなわち同材質である）。ナール凸部５１２は、上部領域５１６に形成された複数のナール形成凹部５１９によって形成されている。ナール形成凹部５１９は、上部領域５１６の上部から下部にかけて、上下方向に沿って直線状に形成されている。複数のナール形成凹部５１９は、キャップ周方向に間隔をおいて形成されている。本体ナール部５１３は、外周面５０８ａのキャップ周方向の全領域に形成されている。
図５では、上部領域５１６は、主部５０８の全高さのうち約４分の１の領域である。上部領域５１６より低い領域を下部領域５１７という。
キャップ本体５０４は、高密度ポリエチレン、ポリプロピレンなどの合成樹脂材料で構成することができる。
【００３０】
図５に示すように、外装体５０５は、基層部５１４と、外装体ナール部５１５とを備えている。
基層部５１４は、筒部５０３の主部５０８の外周面５０８ａに、筒部５０３の全周にわたって設けられている。基層部５１４は、上部領域５１６には形成されておらず、下部領域５１７に形成されている。基層部５１４は主部５０８の外周面５０８ａに接合されている。
【００３１】
外装体ナール部５１５は、基層部５１４の外周面５１４ａに形成された複数のナール凸部５１８からなる。ナール凸部５１８は、筒部５０３の径方向外方に突出して形成されている。ナール凸部５１８の断面形状（中心軸Ｃ１に直交する断面の形状）は特に限定されず、例えば、多角形状（例えば矩形状）、円弧形状などとすることができる。ナール凸部５１８は、基層部５１４の上部から下部にかけて、上下方向に沿って直線状に形成されている。複数のナール凸部５１８は、キャップ周方向に間隔をおいて形成されている。外装体ナール部５１５は、外周面５０８ａのキャップ周方向の全領域に形成されている。
【００３２】
図６に示すように、ナール凸部５１８の突出高さＨ２（外周面５１４ａからの高さ）は、０．１ｍｍ以上（好ましくは０．３ｍｍ以上）とするのが好適である。突出高さＨ２を前記範囲とすることによって、開栓の際に手指を確実にナール凸部５１８に係止させることができるため、キャップ５０１の開栓操作が容易となる。突出高さＨ２は、例えば０．５ｍｍ以下とすることができる。突出高さＨ２を前記範囲とすることによって、開栓時の手指の痛みを緩和できる。
【００３３】
ナール凸部５１８の幅Ｗ４は、０．２ｍｍ以上（好ましくは０．５ｍｍ以上）とするのが好適である。幅Ｗ４は、例えば０．２ｍｍ〜１．５ｍｍ（好ましくは０．５ｍｍ〜１．２ｍｍ）とすることができる。
【００３４】
ナール凸部５１８のピッチＰ２（例えば、隣り合う２つのナール凸部５１８の頂点間のキャップ周方向の距離）は、０．５〜３ｍｍ（好ましくは１〜３ｍｍ）とするのが好適である。ピッチＰ２を前記範囲とすることによって、開栓時に手指をナール凸部５１８に確実に係止させることができ、かつ、手指の痛みを緩和できる。
ナール凸部５１８は、基層部５１４と一体に形成されている。ナール凸部５１８は基層部５１４と同じ材料からなる（すなわち同材質である）ことが好ましい。
【００３５】
外装体５０５は、キャップ本体５０４より低硬度である。外装体５０５は、第１実施形態における外装体５と同様に、樹脂、ゴムなどの低硬度材料からなる。硬度の指標としては、例えば、ＪＩＳ  Ｋ６２５３−３に準拠するデュロメータタイプＡの硬度を採用できる。外装体５０５の硬度は、例えば５０〜９０である。硬度の指標としては、ＪＩＳ  Ｋ７２１５に規定するデュロメータタイプＤの硬度を採用してもよい。
【００３６】
図７に示すように、キャップ５０１は、容器２０の口元部２１に装着できる。容器２０とキャップ５０１とは、閉止装置を構成する。
【００３７】
次に、キャップ５０１を開栓する過程について説明する。
図７に示すように、使用者がキャップ５０１を開栓方向に回すと、主部５０８が回転する一方、係止突起５１１は係止段部２３に係止するため、ＴＥリング部５０９の回転は阻止され、主部５０８とＴＥリング部５０９とを連結しているブリッジ５０７に引張力が作用する。前記引張力によりブリッジ５０７は破断し、ＴＥリング部５０９は主部５０８から切り離される。これによって、キャップ５０１が開栓されたことが明示される。
【００３８】
キャップ５０１では、外装体５０５が低硬度であるため、開栓時および閉栓時に使用者がキャップ５０１を把持する際に、外装体ナール部５１５から手指に加えられる力を軽減できる。よって、外装体ナール部５１５による手指の痛みを緩和できる。外装体５０５は低硬度であるため表面の摩擦が大きいことから、キャップ５０１の滑り止め性能を高めることができる。従って、キャップ５０１では、開閉栓操作が容易であり、かつ使用者がキャップを把持して回転させる際の手指の痛みを小さくできる。
キャップ５０１は、キャップ本体５０４の上部に本体ナール部５１３が形成されているため、キャッパー（キャッピングマシン）を用いてキャップ５０１を容器２０の口元部２１に装着する際に、キャッパーのチャックによってキャップ５０１を把持し、確実な装着を実現できる。
【００３９】
［キャップ］（第３実施形態）
図８は、本発明のキャップの第３実施形態であるキャップ６０１の斜視図である。なお、既出の実施形態と同じ構成については同じ符号を付して説明を省略する。
図８に示すように、キャップ６０１は、キャップ本体６０４と、外装体６０５と、を備えている。
外装体６０５は、天板部基層部６１４と筒部基層部６１５を備えている。
天板部基層部６１４は、キャップ周方向に沿う環状とされ、天板部６０２の外面６０２ａに設けられている。
筒部基層部６１５は、天板部基層部６１４の周縁から垂下して形成されている。筒部基層部６１５は、筒部３の主部６０８の外周面６０８ａに、全周にわたって設けられている。筒部基層部６１５の外周面は凹凸がなく平滑に形成されている。筒部基層部６１５は、主部６０８の外周面６０８ａのうち、最上部を含む高さ範囲の領域（上部領域６１６）に形成されている。上部領域６１６は、主部６０８の全高さのうち約３分の２の領域である。上部領域６１６より低い領域を下部領域６１７という。
天板部基層部６１４および筒部基層部６１５は、それぞれ天板部６０２の外面６０２ａおよび主部６０８の外周面６０８ａに接合されている。
外装体６０５は、キャップ本体６０４より低硬度である。外装体６０５は、第１実施形態における外装体５と同様に、樹脂、ゴムなどの低硬度材料からなる。
【００４０】
主部６０８の外周面６０８ａのうち下部領域６１７には、複数のナール凸部６２８からなる本体ナール部６２５が形成されている。ナール凸部６２８は、キャップ本体６０４と同じ材料からなり（すなわち同材質であり）、キャップ本体６０４と一体に形成されている。ナール凸部６２８は、下部領域６１７の上部から下部にかけて、上下方向に沿って直線状に形成されている。複数のナール凸部６２８は、キャップ周方向に間隔をおいて形成されている。
【００４１】
キャップ６０１では、外装体６０５が低硬度であるため、開栓時および閉栓時に使用者がキャップ６０１を把持する際に、手指に加えられる力を軽減し、手指の痛みを緩和できる。外装体６０５は低硬度であるため表面の摩擦が大きいことから、キャップ６０１の滑り止め性能を高めることができる。従って、キャップ６０１では、開閉栓操作が容易であり、かつ使用者がキャップを把持して回転させる際の手指の痛みを小さくできる。
【００４２】
キャップ本体６０４と同材質のナール凸部６２８は硬度が高いため係止力が高い。そのため、使用者がキャップ６０１を把持して開栓を開始する操作が容易になる。
キャップ６０１は、硬度が高いナール凸部６２８からなる本体ナール部６２５を有するため、キャッパー（キャッピングマシン）を用いてキャップ６０１を容器２０の口元部２１に装着する際に、キャッパーのチャックによってキャップ６０１を把持し、確実な装着を実現できる。
【００４３】
［キャップ］（第４実施形態）
図９は、本発明のキャップの第４実施形態であるキャップ１０１の斜視図である。なお、既出の実施形態と同じ構成については同じ符号を付して説明を省略する。
図９に示すように、キャップ１０１は、キャップ本体１０４と、外装体１０５と、を備えている。
キャップ本体１０４の主部８の外周面８ａは、複数の第１ナール領域１１３と、複数の第２ナール領域１１４とを有する。第１ナール領域１１３および第２ナール領域１１４は、キャップ周方向の一部領域であって主部８の上部から下部にかけての領域である。
【００４４】
第１ナール領域１１３には、１または複数の第１ナール凸部１１５からなる本体ナール部１１１が形成されている。
第１ナール凸部１１５は、第１ナール領域１１３に、筒部３の径方向外方に突出して形成されている。第１ナール凸部１１５は、キャップ本体１０４と同じ材料からなり（すなわち同材質であり）、キャップ本体１０４と一体に形成されている。第１ナール凸部１１５の断面形状は特に限定されず、例えば、多角形状（例えば矩形状）、円弧状などとすることができる。第１ナール凸部１１５のうち主部８の外周面８ａに形成された部分は、主部８の上部から下部にかけて、上下方向に沿って直線状に形成されている。この実施形態では、１つの本体ナール部１１１を構成する第１ナール凸部１１５の数は１であるが、１つの第１ナール部１１１を構成する第１ナール凸部１１５の数は２以上の任意の数であってもよい。
第２ナール領域１１４（主部８の外周面８ａ）は、凹凸がなく平滑に形成されている。
【００４５】
外装体１０５は、天板部２の外面２ａに設けられた基部１０６と、基部１０６から延出する複数の第２ナール凸部１１６とを備えている。
基部１０６は、キャップ周方向に沿う円環状に形成されている。基部１０６の外径は天板部２の外径より小さい。
【００４６】
第２ナール凸部１１６は、基部１０６の外周縁から天板部２の外面２ａに沿って天板部２の径方向外方に延び、さらに、第２ナール領域１１４に、主部８の上部から下部にかけて上下方向に沿って直線状に形成されている。第２ナール領域１１４に形成された部分の複数の第２ナール凸部１１６は、外装体ナール部１１２を構成する。
【００４７】
第２ナール領域１１４に形成された第２ナール凸部１１６は、筒部３の径方向外方に突出して形成されている。第２ナール凸部１１６の断面形状は特に限定されず、例えば、多角形状（例えば矩形状）、円弧状などとすることができる。複数の第２ナール凸部１１６は、キャップ周方向に間隔をおいて形成されている。この実施形態では、１つの外装体ナール部１１２を構成する第２ナール凸部１１６の数は２であるが、１つの外装体ナール部１１２を構成する第２ナール凸部１１６の数は１でもよいし、３以上の任意の数でもよい。
【００４８】
本体ナール部１１１と外装体ナール部１１２とは、キャップ周方向に位置を違えて形成されている。詳しくは、本体ナール部１１１と外装体ナール部１１２とは、キャップ周方向に交互に配置されている。キャップ１０１は、６つの本体ナール部１１１および６つの外装体ナール部１１２を有する。６つの本体ナール部１１１は、中心軸Ｃ１周りの回転対称となる位置（６回対称位置）にある。６つの外装体ナール部１１２は、中心軸Ｃ１周りの回転対称となる位置（６回対称位置）にある。
【００４９】
本体ナール部１１１の幅Ｗ１１（キャップ周方向の寸法）は、例えば１ｍｍ〜５ｍｍである。外装体ナール部１１２の幅Ｗ１２（キャップ周方向の寸法）は、例えば１ｍｍ〜５ｍｍである。本体ナール部１１１の幅Ｗ１１と、外装体ナール部１１２の幅Ｗ１２との比率Ｗ１１／Ｗ１２は、例えば０．５〜２である。幅比率Ｗ１１／Ｗ１２を前記範囲とすることによって、開栓時に使用者が手指に感じる痛みを緩和する効果を高めることができる。
なお、本体ナール部１１１の幅は第１ナール領域１１３の幅と同じである。外装体ナール部１１２の幅は第２ナール領域１１４の幅と同じである。
【００５０】
基部１０６の内周側には、接続部１０７が設けられている。接続部１０７は、中央部１０７ａと、延出部１０７ｂとを有する。中央部１０７ａは、天板部２の外面２ａの中央に形成されている。延出部１０７ｂは、中央部１０７ａから径方向外方に延出して基部１０６に達する。接続部１０７は低硬度材料からなり、基部１０６と一体に形成されている。
【００５１】
外装体１０５は、キャップ本体１０４より低硬度である。外装体１０５は、第１実施形態のキャップ１における外装体５と同様に、樹脂、ゴムなどの低硬度材料からなる。
【００５２】
キャップ１０１は、図２に示す容器２０の口元部２１に装着することができる。キャップ１０１と容器２０とは、閉止装置を構成する。閉止装置は、飲料を容器２０に充填することによって、飲料入り閉止装置とすることができる。
【００５３】
キャップ１０１では、外装体ナール部１１２を構成する第２ナール凸部１１６が低硬度であるため、開栓時および閉栓時に手指に加えられる力を軽減できる。よって、手指の痛みを緩和できる。外装体１０５は低硬度であるため表面の摩擦が大きいことから、キャップ１０１の滑り止め性能を高めることができる。従って、キャップ１０１では、開閉栓操作が容易であり、かつ使用者がキャップを把持して回転させる際の手指の痛みを小さくできる。
キャップ本体１０４と同材質の第１ナール凸部１１５は硬度が高いため係止力が高い。そのため、使用者がキャップ１０１を把持して開栓を開始する操作が容易になる。
【００５４】
［キャップ］（第５実施形態）
図１０は、本発明のキャップの第５実施形態であるキャップ２０１の斜視図である。なお、既出の実施形態と同じ構成については同じ符号を付して説明を省略する。
図１０に示すように、キャップ２０１は、キャップ本体２０４と、外装体２０５と、を備えている。
キャップ本体２０４の主部８の外周面８ａは、複数の第１ナール領域２１３と、複数の第２ナール領域２１４とを有する。
第１ナール領域２１３および第２ナール領域２１４は、キャップ周方向の一部領域であって主部８の上部から下部にかけての領域である。
【００５５】
第１ナール領域２１３には、１または複数の第１ナール凸部２１５からなる本体ナール部２１１が形成されている。
第１ナール凸部２１５は、第１ナール領域２１３に、筒部３の径方向外方に突出して形成されている。第１ナール凸部２１５は、キャップ本体２０４と同じ材料からなり（すなわち同材質であり）、キャップ本体２０４と一体に形成されている。第１ナール凸部２１５の断面形状は特に限定されず、例えば、多角形状（例えば矩形状）、円弧状などとすることができる。第１ナール凸部２１５のうち主部８の外周面８ａに形成された部分は、主部８の上部から下部にかけて、上下方向に沿って直線状に形成されている。この実施形態では、１つの本体ナール部２１１を構成する第１ナール凸部２１５の数は４であるが、１つの本体ナール部２１１を構成する第１ナール凸部２１５の数は１〜３でもよいし、５以上の任意の数であってもよい。
第２ナール領域２１４（主部８の外周面８ａ）は、凹凸がなく平滑に形成されている。
【００５６】
外装体２０５は、天板部２の外面２ａに設けられた一対の基部２０６と、基部２０６から延出する複数の第２ナール凸部２１６とを備えている。
基部２０６は、キャップ周方向に沿う円弧状に形成されている。基部２０６の外径は天板部２の外径より小さい。２つの基部２０６は、中心軸Ｃ１周りの回転対称となる位置にある。
【００５７】
第２ナール凸部２１６は、基部２０６の外周縁から天板部２の外面２ａに沿って天板部２の径方向外方に延び、さらに、第２ナール領域２１４に、主部８の上部から下部にかけて上下方向に沿って直線状に形成されている。第２ナール領域２１４に形成された部分の複数の第２ナール凸部２１６は、外装体ナール部２１２を構成する。
【００５８】
第２ナール凸部２１６は、筒部３の径方向外方に突出して形成されている。第２ナール凸部２１６の断面形状は特に限定されず、例えば、多角形状（例えば矩形状）、円弧状などとすることができる。複数の第２ナール凸部２１６は、キャップ周方向に間隔をおいて形成されている。この実施形態では、１つの外装体ナール部２１２を構成する第２ナール凸部２１６の数は５であるが、１つの外装体ナール部２１２を構成する第２ナール凸部２１６の数は１〜４でもよいし、６以上の任意の数でもよい。
【００５９】
本体ナール部２１１と外装体ナール部２１２とは、キャップ周方向に位置を違えて形成されている。詳しくは、本体ナール部２１１と外装体ナール部２１２とは、キャップ周方向に交互に配置されている。キャップ２０１は、２つの本体ナール部２１１および２つの外装体ナール部２１２を有する。２つの本体ナール部２１１は、中心軸Ｃ１周りの回転対称となる位置にある。２つの外装体ナール部２１２は、中心軸Ｃ１周りの回転対称となる位置にある。
【００６０】
本体ナール部２１１の幅Ｗ２１（キャップ周方向の寸法）は、例えば１ｍｍ〜５ｍｍである。外装体ナール部２１２の幅Ｗ２２（キャップ周方向の寸法）は、例えば１ｍｍ〜５ｍｍである。本体ナール部２１１の幅Ｗ２１と、外装体ナール部２１２の幅Ｗ２２との比率Ｗ２１／Ｗ２２は、例えば０．５〜２である。幅比率Ｗ２１／Ｗ２２を前記範囲とすることによって、開栓時に使用者が手指に感じる痛みを緩和する効果を高めることができる。
【００６１】
外装体２０５は、キャップ本体２０４より低硬度である。外装体２０５は、第１実施形態における外装体５と同様に、樹脂、ゴムなどの低硬度材料からなる。
なお、本体ナール部２１１の幅は第１ナール領域２１３の幅と同じである。外装体ナール部２１２の幅は第２ナール領域２１４の幅と同じである。
【００６２】
基部２０６の内周側には、接続部２０７が設けられている。接続部２０７は、中央部２０７ａと、延出部２０７ｂとを有する。中央部２０７ａは、天板部２の外面２ａの中央に形成されている。延出部２０７ｂは、中央部２０７ａから径方向外方に延出して基部２０６に達する。接続部２０７は低硬度材料からなり、基部２０６と一体に形成されている。
【００６３】
キャップ２０１は、図２に示す容器２０の口元部２１に装着することができる。キャップ２０１と容器２０とは、閉止装置を構成する。閉止装置は、飲料を容器２０に充填することによって、飲料入り閉止装置とすることができる。
【００６４】
キャップ２０１では、外装体ナール部２１２を構成する第２ナール凸部２１６が低硬度であるため、開栓時および閉栓時に手指に加えられる力を軽減できる。よって、手指の痛みを緩和できる。外装体２０５は低硬度であるため表面の摩擦が大きいことから、キャップ２０１の滑り止め性能を高めることができる。従って、キャップ２０１では、開閉栓操作が容易であり、かつ使用者がキャップを把持して回転させる際の手指の痛みを小さくできる。
キャップ本体２０４と同材質の第１ナール凸部２１５は硬度が高いため係止力が高い。そのため、使用者がキャップ２０１を把持して開栓を開始する操作が容易になる。
【００６５】
［キャップ］（第６実施形態）
図１１は、本発明のキャップの第６実施形態であるキャップ３０１の斜視図である。なお、既出の実施形態と同じ構成については同じ符号を付して説明を省略する。
図１１に示すように、キャップ３０１は、キャップ本体３０４と、外装体３０５と、を備えている。
キャップ本体３０４の主部８の外周面８ａは、複数のナール領域３１３と、複数の非ナール領域３１４とを有する。
ナール領域３１３は、キャップ周方向の一部領域であって主部８の上部から下部にかけての領域である。非ナール領域３１４は、キャップ周方向の一部領域であって主部８の上部から下部にかけての領域である。
【００６６】
ナール領域３１３には、１または複数の第１ナール凸部３１５からなる本体ナール部３１１が形成されている。
第１ナール凸部３１５は、ナール領域３１３に、筒部３の径方向外方に突出して形成されている。第１ナール凸部３１５は、キャップ本体３０４と同じ材料からなり（すなわち同材質であり）、キャップ本体３０４と一体に形成されている。第１ナール凸部３１５の断面形状は特に限定されず、例えば、多角形状（例えば矩形状）、円弧状などとすることができる。第１ナール凸部３１５のうち主部８の外周面８ａに形成された部分は、主部８の上部から下部にかけて、上下方向に沿って直線状に形成されている。この実施形態では、１つの本体ナール部３１１を構成する第１ナール凸部３１５の数は４であるが、１つの本体ナール部３１１を構成する第１ナール凸部３１５の数は１〜３でもよいし、５以上の任意の数であってもよい。
非ナール領域３１４（主部８の外周面８ａ）は、凹凸がなく平滑に形成されている。
【００６７】
外装体３０５は、一対の層体３０６を備えている。層体３０６は、基部３０７と、基部３０７に連なって形成された外層部３０８とを備えている。
基部３０７は、例えば一定厚さを有する層状とされる。基部３０７は、内周縁および外周縁がキャップ周方向に沿う扇形状とされ、天板部２の外面２ａに設けられている。
外層部３０８は、例えば一定厚さを有する層状であり、その表面（外周面）は平滑である。外層部３０８は、基部３０７の外周縁から下方に向かって形成されている。外層部３０８は、非ナール領域３１４を覆って形成される。外層部３０８は、主部８の上部から下部にかけて上下方向に沿って形成されている。外層部３０８は、非ナール領域３１４のほぼ全領域に形成することができる。
２つの層体３０６は、中心軸Ｃ１周りの回転対称となる位置にある。
【００６８】
本体ナール部３１１と層体３０６とは、キャップ周方向に位置を違えて形成されている。詳しくは、本体ナール部３１１と層体３０６とは、キャップ周方向に交互に配置されている。キャップ３０１は、２つの本体ナール部３１１および２つの層体３０６を有する。２つの本体ナール部３１１は、中心軸Ｃ１周りの回転対称となる位置にある。２つの層体３０６は、中心軸Ｃ１周りの回転対称となる位置にある。
【００６９】
本体ナール部３１１の幅Ｗ３１（キャップ周方向の寸法）は、例えば１ｍｍ〜５ｍｍである。層体３０６の幅Ｗ３２（キャップ周方向の寸法）は、例えば１ｍｍ〜５ｍｍである。本体ナール部３１１の幅Ｗ３１と、層体３０６の幅Ｗ３２との比率Ｗ３１／Ｗ３２は、例えば０．５〜２である。幅比率Ｗ３１／Ｗ３２を前記範囲とすることによって、開栓時に使用者が手指に感じる痛みを緩和する効果を高めることができる。
【００７０】
外装体３０５は、キャップ本体３０４より低硬度である。外装体３０５は、第１実施形態における外装体５と同様に、樹脂、ゴムなどの低硬度材料からなる。
なお、本体ナール部３１１の幅は第１ナール領域３１３の幅と同じである。外層部３０８の幅は非ナール領域３１４の幅と同じである。
【００７１】
基部３０６の内周側には、接続部３０７が設けられている。接続部３０７は、中央部３０７ａと、延出部３０７ｂとを有する。中央部３０７ａは、天板部２の外面２ａの中央に形成されている。延出部３０７ｂは、中央部３０７ａから径方向外方に延出して層体３０６に達する。接続部３０７は低硬度材料からなり、基部３０６と一体に形成されている。
【００７２】
キャップ３０１は、図２に示す容器２０の口元部２１に装着することができる。キャップ３０１と容器２０とは、閉止装置を構成する。閉止装置は、飲料を容器２０に充填することによって、飲料入り閉止装置とすることができる。
【００７３】
キャップ３０１では、外層部３０８が低硬度であるため、開栓時および閉栓時に手指に加えられる力を軽減できる。よって、手指の痛みを緩和できる。外装体３０５は低硬度であるため表面の摩擦が大きいことから、キャップ３０１の滑り止め性能を高めることができる。従って、キャップ３０１では、開閉栓操作が容易であり、かつ使用者がキャップを把持して回転させる際の手指の痛みを小さくできる。
キャップ本体３０４と同材質の第１ナール凸部３１５は硬度が高いため係止力が高い。そのため、使用者がキャップ３０１を把持して開栓を開始する操作が容易になる。
【００７４】
外層部３０８は、表面（外周面）が平滑であるため手指との接触面積が大きくなることから、摩擦力により滑り止め性能を高めることができる。
【００７５】
［キャップ］（第７実施形態）
図１２は、本発明のキャップの第７実施形態であるキャップ４０１の斜視図である。なお、既出の実施形態と同じ構成については同じ符号を付して説明を省略する。
図１２に示すように、キャップ４０１は、キャップ本体４と、外装体４０５と、を備えている。
外装体４０５は、基層部４１４と、外装体ナール部４１５とを備えている。
基層部４１４は、筒部３の主部８の外周面８ａに、全周にわたって設けられている。基層部４１４は、主部８の外周面８ａのうち、最上部を含む高さ範囲の領域（上部領域４１６）に設けられている。基層部４１４は主部８の外周面８ａに接合されている。
図１２では、基層部４１４は、主部８の全高さのうち約３分の２の上部領域４１６に形成されている。
【００７６】
外装体ナール部４１５は、基層部４１４の外周面４１４ａのうち１または複数のナール領域に形成されている。外装体ナール部４１５は、外周面４１４ａのうち、キャップ周方向に離れた複数のナール領域に形成されている。
外装体ナール部４１５は、複数のナール凸部４１８からなる。ナール凸部４１８は、基層部４１４と一体に形成されている。ナール凸部４１８は基層部４１４と同じ材料からなる（すなわち同材質である）ことが好ましい。
【００７７】
外装体４０５は、キャップ本体４より低硬度である。外装体４０５は、第１実施形態における外装体５と同様に、樹脂、ゴムなどの低硬度材料からなる。
【００７８】
主部８の外周面８ａのうち外装体ナール部４１５が形成されていない高さ範囲（下部領域４１７）は、１または複数のナール領域を有する。当該ナール領域には、複数のナール凸部４２８からなる本体ナール部４２５が形成されている。ナール凸部４２８は、キャップ本体４と同じ材料からなり（すなわち同材質であり）、キャップ本体４と一体に形成されている。本体ナール部４２５は、主部８の外周面８ａの下部領域４１７のうち、キャップ周方向に離れた複数のナール領域に形成されている。
ナール凸部４２８の、キャップ周方向の形成位置は外装体ナール部４１５の形成位置と一致していることが好ましい。ナール凸部４２８の形状、大きさ、数、ピッチ等は、ナール凸部４１８と同じであることが望ましい。
【００７９】
キャップ４０１では、外装体４０５が低硬度であるため、開栓時および閉栓時に使用者がキャップ４０１を把持する際に、外装体ナール部４１５から手指に加えられる力を軽減できる。よって、外装体ナール部４１５による手指の痛みを緩和できる。外装体４０５は低硬度であるため表面の摩擦が大きいことから、キャップ４０１の滑り止め性能を高めることができる。従って、キャップ４０１では、開閉栓操作が容易であり、かつ使用者がキャップを把持して回転させる際の手指の痛みを小さくできる。
【００８０】
キャップ本体４と同材質のナール凸部４２８は硬度が高いため係止力が高い。そのため、使用者がキャップ４０１を把持して開栓を開始する操作が容易になる。
また、硬度が高いナール凸部４２８からなる本体ナール部４２５を有するため、キャッパー（キャッピングマシン）を用いてキャップ４０１を容器２０の口元部２１に装着する際に、キャッパーのチャックによってキャップ４０１を把持し、確実な装着を実現できる。
【００８１】
キャップの具体的構成については、本発明の主旨を逸脱しない限り、上述の実施の形態で挙げた構成を取捨選択したり、他の構成に適宜変更することができる。
例えば、図１に示すキャップ１では、２つの外装体ナール部１５を有するが、外装体ナール部の数はこれに限定されず、１でもよいし、３以上の任意の数であってもよい。外装体ナール部は、基層部の外周面に全周にわたって形成されていてもよい。外装体ナール部は、基層部の外周面の全域に形成されていてもよい。基層部は、筒部の外周面の全体に形成されていてもよいが、主部の外周面のみに形成されているのが好ましい。基層部は、主部の外周面に全周にわたって形成されていることが望ましいが、主部の外周面のうちキャップ周方向の一部に形成されていてもよい。
【００８２】
図９に示すキャップ１０１では、６つの本体ナール部１１１および６つの第２ナール凸部１１６を有するが、本体ナール部の数は１でもよいし、２以上の任意の数でもよい。第２ナール凸部の数は１でもよいし、２以上の任意の数でもよい。
図１０に示すキャップ２０１では、２つの本体ナール部２１１および２つの第２ナール凸部２１６を有するが、本体ナール部の数は１でもよいし、２以上の任意の数でもよい。第２ナール凸部の数は１でもよいし、２以上の任意の数でもよい。
図１１に示すキャップ３０１では、２つの本体ナール部３１１と、２つの層体３０６とを有するが、本体ナール部３の数は１でもよいし、２以上の任意の数でもよい。層体の数は１でもよいし、２以上の任意の数でもよい。
図９に示すキャップ１０１において、主部８の外周面８ａのうち第２ナール領域１１４は、第１ナール領域１１３を除く全領域であるが、第２ナール領域１１４は、主部８の外周面８ａのうち第１ナール領域１１３を除く領域のうち一部領域であってもよい。
図９〜図１１に示すキャップでは、外装体は、少なくとも主部の外周面に形成された部分がキャップ本体より低硬度であればよい。
図１２に示すキャップでは、主部の上部に低硬度の外装体が設けられ、かつ主部の下部に高硬度の本体ナール部が形成されているが、逆に、主部の上部に高硬度の本体ナール部が形成され、かつ主部の下部に低硬度の外装体が設けられていてもよい。
【符号の説明】
【００８３】
１，１０１，２０１，３０１，４０１，５０１，６０１  キャップ
２，５０２，６０２  天板部
３，５０３，６０３  筒部
４、１０４，２０４，３０４，５０４，６０４  キャップ本体
５，１０５，２０５，３０５，４０５，５０５，６０５  外装体
８ａ，５０８ａ，６０８ａ  （主部の）外周面（筒部の外周面）
１４，５１４  基層部
１４ａ，５１４ａ  （基層部の）外周面
１５，５１５，１１２，２１２  外装体ナール部
１７  ナール非形成領域
２０  容器
２１  口元部
１１１，２１１，３１１，４２５，５１３，６２５  本体ナール部
３０８  外層部
【図１】
2019018882.tif 000003
【図２】
2019018882.tif 000004
【図３】
2019018882.tif 000005
【図４】
2019018882.tif 000006
【図５】
2019018882.tif 000007
【図６】
2019018882.tif 000008
【図７】
2019018882.tif 000009
【図８】
2019018882.tif 000010
【図９】
2019018882.tif 000011
【図１０】
2019018882.tif 000012
【図１１】
2019018882.tif 000013
【図１２】
2019018882.tif 000014